(57)【要約】【課題】出力画像から切り出された一部の領域を変形させて表示装置に表示する際に、切り出し領域を移動させて表示画像を移動させる操作の操作感を改善する。【解決手段】ＣＰＵ１０１は、横方向に１／２に圧縮された出力画像２２０から切り出し領域２００で切り出された画像の表示部１０７への表示と、切り出した画像を横方向に２倍に拡大したデスクイーズ画像の表示部１０７での表示を切り替える。ＣＰＵ１０１は、切り出された画像を表示部１０７に表示する際には操作部１０５に対する１回の所定の操作にしたがって出力画像２２０に対して切り出し領域２００を移動させる移動量を第１の移動量に設定し、デスクイーズ画像を表示部１０７に表示する際には、同じ１回の操作にしたがって出力画像２２０に対して切り出し領域を横方向に移動させる際の移動量を、第１の移動量の１／２とした第２の移動量に設定する。【選択図】図２
2018194645.tif 000002
【特許請求の範囲】
【請求項１】
出力画像から一部の領域を切り出す切り出し手段と、
前記出力画像を所定の方向に拡大又は縮小させた変形画像を生成する変形手段と、
前記切り出された画像を表示手段に表示する際に、前記所定の方向に拡大又は縮小していない画像を表示させるか、前記変形手段により前記所定の方向に拡大又は縮小させた前記変形画像を表示させるかを切り替える制御手段と、を備え、
前記制御手段は、
前記所定の方向に拡大又は縮小していない画像を前記表示手段に表示する場合は、前記切り出し手段が切り出した切り出し領域を前記所定の方向に移動させるための１回の所定の操作にしたがって、前記出力画像に対して第１の移動量で前記切り出し領域を前記所定の方向に移動させ、
前記変形手段により前記所定の方向に拡大又は縮小させた前記変形画像を前記表示手段に表示する場合は、前記１回の所定の操作にしたがって、前記出力画像に対して前記第１の移動量と異なる第２の移動量で前記切り出し領域を前記所定の方向に移動させることを特徴とする表示制御装置。
【請求項２】
前記変形手段は、前記切り出し手段により切り出された画像を前記所定の方向に拡大させた変形画像を生成し、
前記制御手段は、前記変形手段により前記所定の方向に拡大させた前記変形画像を前記表示手段に表示する場合は、前記１回の所定の操作にしたがって前記出力画像に対して前記第１の移動量よりも小さい第２の移動量で前記切り出し領域を移動させることを特徴とする請求項１に記載の表示制御装置。
【請求項３】
前記変形手段は、前記切り出し手段により切り出された画像を前記所定の方向に縮小させた変形画像を生成し、
前記制御手段は、前記変形手段により前記所定の方向に縮小させた前記変形画像を前記表示手段に表示する場合は、前記１回の所定の操作にしたがって前記出力画像に対して前記第１の移動量よりも大きい第２の移動量で前記切り出し領域を移動させることを特徴とする請求項１に記載の表示制御装置。
【請求項４】
前記制御手段は、前記変形手段により前記所定の方向に縮小させた前記変形画像を前記表示手段に表示する場合は、前記１回の所定の操作にしたがって前記出力画像に対して前記第１の移動量を前記拡大及び縮小の倍率で除した移動量に対応する第２の移動量で前記切り出し領域を移動させることを特徴とする請求項１に記載の表示制御装置。
【請求項５】
前記制御手段は、前記変形画像を前記表示手段に表示する際に、前記切り出し領域を前記所定の方向と直交する方向に移動させるための１回の操作に応じて、前記出力画像に対して前記第１の移動量で前記切り出し領域を前記所定の方向と直交する方向に移動させることを特徴とする請求項１乃至４のいずれか１項に記載の表示制御装置。
【請求項６】
前記出力画像は、前記所定の方向に所定の圧縮率で圧縮された画像であり、
前記変形画像は、前記切り出された画像を前記所定の方向に前記圧縮率の逆数の倍率で拡大した画像、又は、前記切り出された画像を前記所定の方向と直交する方向に前記圧縮率と同じ倍率で縮小した画像であることを特徴とする請求項１乃至５のいずれか１項に記載の表示制御装置。
【請求項７】
前記所定の方向に圧縮された画像は、アナモフィックレンズを含む撮像光学系を通して撮像素子に結像した光学像が前記撮像素子により光電変換されて出力された画像であることを特徴とする請求項６に記載の表示制御装置。
【請求項８】
前記制御手段は、前記所定の操作が連続的に又は継続的に行われた場合、前記切り出し領域の移動を連続的に行うことを特徴とする請求項１乃至７のいずれか１項に記載の表示制御装置。
【請求項９】
前記出力画像は、映像を構成するフレーム画像であることを特徴とする請求項１乃至８のいずれか１項に記載の表示制御装置。
【請求項１０】
前記変形手段は、前記切り出し手段により切り出された画像を、前記所定の方向と該所定の方向と直交する方向とで異なる倍率で拡大又は縮小することにより前記変形画像を生成し、
前記制御手段は、前記所定の方向と該所定の方向と直交する方向とで同じ倍率で拡大又は縮小された画像を表示する場合には、１回の前記所定の操作にしたがって、前記第１の移動量で前記切り出し領域を前記所定の方向に移動させ、前記所定の方向と該所定の方向と直交する方向とで異なる倍率で拡大又は縮小された前記変形画像を表示する場合には、１回の前記所定の操作にしたがって、前記第２の移動量で前記切り出し領域を前記所定の方向に移動させることを特徴とする請求項１乃至９のいずれか１項に記載の表示制御装置。
【請求項１１】
表示制御装置の制御方法であって、
出力画像から一部の領域を切り出す切り出しステップと、
前記出力画像を所定の方向に拡大又は縮小させた変形画像を生成する変形ステップと、
前記切り出された画像を表示手段に表示する際に、前記所定の方向に拡大又は縮小していない画像を表示させるか、前記変形ステップで前記所定の方向に拡大又は縮小させた前記変形画像を表示させるかを切り替える切り替えステップと、を有し、
前記切り替えステップでは、
前記所定の方向に拡大又は縮小していない画像を前記表示手段に表示する場合は、前記切り出しステップで前記出力画像から切り出された切り出し領域を前記所定の方向に移動させるための１回の所定の操作にしたがって、前記出力画像に対して第１の移動量で前記切り出し領域を前記所定の方向に移動させ、
前記変形ステップで前記所定の方向に拡大又は縮小させた前記変形画像を前記表示手段に表示する場合は、前記１回の所定の操作にしたがって、前記出力画像に対して前記第１の移動量と異なる第２の移動量で前記切り出し領域を前記所定の方向に移動させることを特徴とする表示制御装置の制御方法。
【請求項１２】
コンピュータを、請求項１乃至１０のいずれか１項に記載された表示制御装置の各手段として機能させることを特徴とするプログラム。
【発明の詳細な説明】
【技術分野】
【０００１】
本発明は、画像を表示する表示制御装置とその制御方法及びプログラムに関する。
【背景技術】
【０００２】
表示装置を備える撮像装置には、フォーカス確認等のために、撮像素子から出力される画像（以下「出力画像」という）から一部の領域を切り出し、切り出した領域の画像を拡大して表示装置に表示することができるものがある（特許文献１乃至３参照）。この場合、表示装置には出力画像の一部が表示されることになるため、撮影者は、出力画像からの切り出し領域の位置を変えることによって、出力像のうちの所望の領域を表示装置に表示させる。
【０００３】
また、光学的に一方向に被写体像を圧縮することができるアナモフィックレンズ（「アナモルフィックレンズ」とも言う）を装着して撮影を行うことができる撮像装置が知られている（特許文献４参照）。そして、アナモフィックレンズが装着可能な撮像装置には、一方向に圧縮された出力画像を圧縮方向の逆方向に拡大（以下「デスクイーズ」という）して、表示装置に表示する機能を備えるものがある。
【先行技術文献】
【特許文献】
【０００４】
【特許文献１】特開２０００−２１７０７８号公報
【特許文献２】特開２０１１−３４５１２号公報
【特許文献３】特開平０１-２１１７９３号公報
【特許文献４】特開平０３-１４５８７８号公報
【発明の概要】
【発明が解決しようとする課題】
【０００５】
例えば、横方向に圧縮された出力画像から一部の領域を切り出し、切り出した領域を更にデスクイーズした画像を表示装置に表示する場合、切り出し領域の１回の移動量がデスクイーズしていない場合よりも横方向で大きく（粗く）なる。その結果、領域移動の操作感が低下してしまう。また、切り出し領域の位置を移動させると、表示装置上での画像の移動量が縦方向と横方向と異なってしまう。その結果、撮影者は、表示装置に表示された画像を移動させる操作に違和感を覚えることがある。
【０００６】
本発明は、出力画像から一部の領域を切り出して所定の方向に拡大又は縮小した変形画像を表示する場合に、切り出し領域を移動させる操作により切り出し領域を移動させたときの操作感を改善することを目的とする。
【課題を解決するための手段】
【０００７】
本発明に係る表示制御装置は、出力画像から一部の領域を切り出す切り出し手段と、前記出力画像を所定の方向に拡大又は縮小させた変形画像を生成する変形手段と、前記切り出された画像を表示手段に表示する際に、前記所定の方向に拡大又は縮小していない画像を表示させるか、前記変形手段により前記所定の方向に拡大又は縮小させた前記変形画像を表示させるかを切り替える制御手段と、を備え、前記制御手段は、前記所定の方向に拡大又は縮小していない画像を前記表示手段に表示する場合は、前記切り出し手段が切り出した切り出し領域を前記所定の方向に移動させるための１回の所定の操作にしたがって、前記出力画像に対して第１の移動量で前記切り出し領域を前記所定の方向に移動させ、前記変形手段により前記所定の方向に拡大又は縮小させた前記変形画像を前記表示手段に表示する場合は、前記１回の所定の操作にしたがって、前記出力画像に対して前記第１の移動量と異なる第２の移動量で前記切り出し領域を前記所定の方向に移動させることを特徴とする。
【発明の効果】
【０００８】
本発明によれば、出力画像から一部の領域を切り出して所定の方向に拡大又は縮小した変形画像を表示する場合に、切り出し領域を移動させる操作により切り出し領域を移動させたときの操作感を改善することができる。
【図面の簡単な説明】
【０００９】
【図１】本発明の実施形態に係る撮像装置の概略構成を示すブロック図である。
【図２】第１実施形態での出力画像及びデスクイーズ画像と切り出し領域との関係を説明する図である。
【図３】第１実施形態でのデスクイーズ画像の拡大表示のフローチャートである。
【図４】第１実施形態での出力画像に対する切り出し領域の移動処理のフローチャートである。
【図５】第２実施形態での出力画像及びデスクイーズ画像と切り出し領域との関係を説明する図である。
【図６】第２実施形態でのデスクイーズ画像の拡大表示のフローチャートである。
【図７】第２実施形態での出力画像に対する切り出し領域の移動処理のフローチャートである。
【発明を実施するための形態】
【００１０】
以下、本発明の実施形態について、添付図面を参照して詳細に説明する。本実施形態では、本発明に係る表示制御装置の一例として、表示装置を備える撮像装置を取り上げることとする。
【００１１】
図１は、撮像装置１００の概略構成を示すブロック図である。撮像装置１００は、ＣＰＵ１０１、ＲＯＭ１０２、ＲＡＭ１０３、入力処理部１０４、操作部１０５、出力処理部１０６、表示部１０７、通信制御部１０８、コネクタ・アンテナ１０９及び内部バス１１０を備える。また、撮像装置１００は、記憶媒体制御部１１１、記憶媒体１１２、撮像光学系１１３、撮像素子１１４、カメラ信号処理部１１５及び符号・復号処理部１１６を備える。
【００１２】
内部バス１１０は、撮像装置１００を構成する各部を通信可能に接続する。ＲＯＭ１０２には、撮像装置１００での動作を制御するためにＣＰＵ１０１が実行する各種プログラムやデータが格納される。なお、ＲＯＭ１０２には、フラッシュメモリ等も含まれる。ＲＡＭ１０３は、ＣＰＵ１０１がＲＯＭ１０２から読み出したプログラムを展開する作業領域を有すると共に、ＣＰＵ１０１が各種の演算を行う際に必要とする変数や作業用データ等を一時的に記憶する領域を有する。ＣＰＵ１０１は、ＲＯＭ１０２又は記憶媒体１１２に格納されたプログラムをＲＡＭ１０３に読み出して撮像装置１００の各部を制御することにより、撮像装置１００の全体制御を行う。
【００１３】
撮像光学系１１３は、レンズ、絞り等を備え、被写体からの入射光を撮像素子１１４の撮像面に結像させる。本実施形態では、撮像光学系１１３は、撮像装置１００の本体部に対して着脱可能なレンズ鏡筒である。但し、撮像光学系１１３は、撮像装置１００の本体部に対して着脱可能であることを必要とするものではなく、撮像装置１００は撮像光学系１１３と本体部とが一体的に構成されていてもよい。撮像素子１１４は、撮像面に結像した光学像をアナログ電気信号に変換する光電変換素子であり、具体的には、ＣＣＤセンサやＣＭＯＳセンサ等である。本実施形態では、撮像素子１１４は、Ａ／Ｄ変換器を含み、生成したアナログ電気信号をデジタル信号に変換し、符号・復号処理部１１６等へ出力する。カメラ信号処理部１１５は、撮像素子１１４から取得したデジタル信号に対して、画素補間処理やリサイズ処理、色変換等の各種補正処理等を行う。
【００１４】
符号・復号処理部１１６は、カメラ信号処理部１１５で処理されたデジタル信号を所定のビットレート及びフォーマット形式で圧縮符号化し、また、これとは逆に、圧縮符号化された画像データを復号する。なお、不図示であるが、撮像装置１００はマイクとスピーカを備えている。映像（動画）の撮像時には、映像と共に音声が記憶され、符号・復号処理部１１６で映像信号と音声信号とを多重化することで、音声付き映像データが生成される。音声付き映像データは、符号・復号処理部１１６において復号化され、映像が表示部１０７に再生表示されると共に音声がスピーカから再生出力される。
【００１５】
入力処理部１０４は、操作部１０５を介したユーザ操作を受け付け、ユーザ操作に応じた制御信号を生成してＣＰＵ１０１に供給する。操作部１０５は、ユーザ操作を受け付ける入力デバイスであり、表示部１０７に設けられたタッチパネル、各種の処理の実行を開始するための指示ボタン、表示部１０７に表示される画像を移動させるための十字ボタン等を有する。なお、操作部１０５は、赤外線リモコン等の遠隔操作可能なデバイスを含む。出力処理部１０６は、ＣＰＵ１０１に指示された各種の表示データを生成して表示部１０７に供給し、これにより、表示部１０７にＧＵＩが表示され、また、画像（映像）が表示される。表示部１０７は、液晶パネルや電子ビューファインダ等である。なお、表示部１０７は、コネクタ・アンテナ１０９を介して撮像装置１００と接続されたモニタであってもよい。
【００１６】
記憶媒体１１２は、メモリカード等の半導体記憶装置やＨＤＤ等であり、静止画像データや映像（動画）データ、撮像装置１００で実行可能な各種のアプリケーションプログラム、ＣＰＵ１０１が各種プログラムを実行するために必要なデータ等を記憶する。記憶媒体１１２は、撮像装置１００に内蔵されていてもよいし、撮像装置１００の本体部に対して着脱可能であってもよいし、ケーブル等を介して撮像装置１００の本体と通信可能に接続されるものであってもよい。記憶媒体制御部１１１は、ＣＰＵ１０１からの指令に従い、記憶媒体１１２に対するデータの書き込み／読み出しを行う。コネクタ・アンテナ１０９は、ケーブルを用いて又は無線通信により、外部機器との通信を可能にする。通信制御部１０８は、コネクタ・アンテナ１０９を通じた各種データの送受信を制御する。
【００１７】
次に、撮像装置１００での画像処理と表示制御について説明する。本実施形態では、撮像装置１００の撮像光学系１１３は、被写体像を光学的に一方向において１／２に圧縮する（スクイーズ倍率が２倍の）アナモフィックレンズを含むものとする。よって、撮像素子１１４から出力される画像（以下「出力画像」という）は、被写体像が一方向において１／２に圧縮された画像となり、ここでは、アナモフィックレンズにより被写体像が横方向（水平方向）に圧縮された出力画像が得られるものとする。なお、出力画像とは、撮像素子１１４に結像した被写体像を映像（動画）として記憶媒体１１２に記憶する際に又は記憶せずに目で見て確認する際に、撮像素子１１４から連続的に出力される画像、つまり、映像を構成するフレーム画像を指す。
【００１８】
以下に、出力画像の切り出し表示とデスクイーズ画像の拡大表示について説明する。本実施形態において、デスクイーズとは、アナモフィックレンズによる画像圧縮の効果が失われるように出力画像の全体又は一部を変形する処理を指すものとする。よって、デスクイーズ画像とは、デスクイーズされた画像が施された変形画像を指す。横方向に１／２に圧縮された出力画像をデスクイーズしたデスクイーズ画像の一例は、出力画像の全体又は出力画像から切り出した一部の領域を横方向に２倍に拡大（伸張）した変形画像である。また、横方向に１／２に圧縮された出力画像をデスクイーズしたデスクイーズ画像の別の例は、出力画像の全体又は出力画像から切り出した一部の領域を縦方向に１／２倍に縮小（圧縮）した変形画像である。出力画像の切り出し表示では、出力画像全体が表示部１０７に表示されずに、出力画像から切り出された一部の領域が表示部１０７に表示される。同様に、デスクイーズ画像の拡大表示も、デスクイーズ画像全体が表示部１０７に表示されずに、デスクイーズ画像から切り出された一部の領域が表示部１０７に表示される。
【００１９】
＜第１実施形態＞
出力画像の切り出し表示とデスクイーズ画像の拡大表示の第１実施形態について説明する。図２（ａ）は、第１実施形態での出力画像の切り出し表示を説明する図であり、出力画像２２０と切り出し領域２００との関係を模式的に示している。出力画像２２０は、アナモフィックレンズにより全体が横方向に１／２に圧縮された画像となっており、出力画像２２０内の楕円は、横方向において１／２に圧縮された主被写体２１０を模式的に示している。
【００２０】
切り出し領域２００は、出力画像２２０から画像を切り出す際の領域を示している。出力画像２２０からの切り出し領域２００での画像の切り出しは、操作部１０５の操作により開始され、操作部１０５の操作により終了する。出力画像２２０の切り出し表示では、先ず、出力画像２２０の所定位置に切り出し領域２００が設定され、切り出し領域２００の画像が切り出される。切り出された画像は、表示部１０７の仕様等に合わせて必要に応じてカメラ信号処理部１１５で拡大等されて、表示部１０７に表示される。
【００２１】
切り出し領域２００の位置は、操作部１０５に対する所定の操作により、例えば、カメラ信号処理部１１５に入力される信号を変更（移動）することで、移動させることができるようになっているものとする。また、切り出し領域２００は、操作部１０５に対する所定の操作により、出力画像２２０に対して縦方向と横方向の各方向に移動させることが可能な大きさに設定されるものとする。換言すれば、切り出し領域２００は、縦方向と横方向のいずれか一方にのみ移動可能な形状（大きさ）に設定されることはないものとする。図２（ａ）では、切り出し領域２００の横方向長さと縦方向長さはそれぞれ、出力画像２２０の横方向長さと縦方向長さの１／２に設定されているが、これに限定されるものではない。
【００２２】
操作部１０５の１回の所定の操作にしたがって出力画像２２０に対して切り出し領域２００を移動させることができる移動量は、縦方向と横方向とで同じ移動量（以下「第１の移動量」という）に設定される。これにより、出力画像２２０に対して切り出し領域２００を縦方向や横方向に移動させたことによって表示部１０７に表示される画像が移動（変化）する際の画像の移動量は縦横方向で同じとなるため、移動操作の操作性を高めることができる。操作部１０５の１回の所定の操作の例としては、十字ボタンの縦横端部の押下操作による縦移動操作と横移動操作が挙げられるが、これに限られるものではない。
【００２３】
なお、出力画像２２０の切り出し表示を行いながら出力画像２２０を記憶媒体１１２に記憶する場合には、撮像素子１１４から出力されて切り出しが行われていない画像信号がカメラ信号処理部１１５を経て符号・復号処理部１１６へ送られる。符号・復号処理部１１６は、取得した画像信号を圧縮・符号化して記憶媒体１１２に記憶する。よって、切り出し領域２００で切り出された画像は、記憶媒体１１２に記憶されない。
【００２４】
次に、デスクイーズ画像の拡大表示の第１の方法として、出力画像２２０全体を横方向に２倍に拡大（伸張）したデスクイーズ画像を生成し、生成したデスクイーズ画像から一部の領域を切り出して表示部１０７に表示する処理について説明する。図２（ｂ）は、出力画像２２０全体を横方向に２倍に拡大（伸張）したデスクイーズ画像２３０と、デスクイーズ画像２３０に対して設定される切り出し領域２００との関係を模式的に示す図である。デスクイーズ画像２３０内の円は、主被写体２１０を模式的に示している。
【００２５】
デスクイーズ画像の拡大表示の第１の方法は、上述した、出力画像２２０の切り出し表示と同様に行われる。つまり、デスクイーズ画像２３０からの切り出し領域２００での画像の切り出しは、操作部１０５の操作により開始され、先ず、デスクイーズ画像２３０の所定位置に切り出し領域２００が設定され、切り出し領域２００で画像が切り出される。そして、切り出された画像は、表示部１０７の仕様等に合わせて必要に応じてカメラ信号処理部１１５で拡大等されて、表示部１０７に表示される。画像の切り出しは、操作部１０５の操作により終了する。
【００２６】
切り出し領域２００は、デスクイーズ画像２３０に対して、操作部１０５を用いた所定の操作により、縦方向と横方向のそれぞれに移動させて切り出し位置を定めることが可能な大きさに設定されるものとする。デスクイーズ画像２３０に対する切り出し領域２００の設定及び移動は、ＣＰＵ１０１及びカメラ信号処理部１１５による画像処理によって行われる。例えば、カメラ信号処理部１１５によって生成されたデスクイーズ画像２３０に対してＣＰＵ１０１が操作部１０５からの指令にしたがって切り出し領域２００の位置設定を行い、カメラ信号処理部１１５が設定された切り出し領域２００で画像を切り出す。
【００２７】
出力画像２２０の切り出し表示とデスクイーズ画像２３０の拡大表示とを切り替えたときに、操作部１０５の１回の所定の操作に応じた表示部１０７での画像の移動量は変わらないことが望ましい。ここで、デスクイーズ画像２３０は、出力画像２２０が横方向にのみ拡大され、縦方向には拡大されていない画像である。そこで、操作部１０５の１回の所定の操作でデスクイーズ画像２３０に対して切り出し領域２００を縦方向に移動させる条件は、出力画像２２０に対して切り出し領域２００を縦方向に移動させる条件に合わせることが望ましい。よって、操作部１０５の１回の所定の操作でデスクイーズ画像２３０に対して切り出し領域２００を縦方向に移動させることができる移動量は、第１の移動量に設定される。
【００２８】
また、デスクイーズ画像２３０に対して切り出し領域２００を移動させたことに応じて表示部１０７に表示される画像が変化するときの移動量が縦方向と横方向とで異なると、画像の変化（動き）がいびつになる。そのため、操作部１０５の１回の所定の操作でデスクイーズ画像２３０に対して切り出し領域２００を横方向に移動させることができる移動量を第１の移動量と同じにする必要がある。換言すれば、操作部１０５の１回の所定の操作によるデスクイーズ画像２３０に対する切り出し領域２００の横方向の移動量が、出力画像２２０のデスクイーズに付随して第１の移動量の２倍となってしまうのを防止する必要がある。そこで、ＣＰＵ１０１は、操作部１０５の１回の所定の操作でデスクイーズ画像２３０に対して切り出し領域２００を横方向に移動させることができる移動量が第１の移動量となるように制御を行う。
【００２９】
上述したデスクイーズ画像の拡大表示の第１の方法では、複数の出力画像２２０の全体を連続してデスクイーズした場合に、ＣＰＵ１０１やカメラ信号処理部１１５の演算負荷が大きくなり、ＲＡＭ１０３に必要な記憶容量が大きくなる傾向がある。また、ユーザが、出力画像２２０全体ではなく一部領域のみの記録を所望する場合は、出力画像全体ではなく、記録する一部領域のみを表示させることにより、記録される領域の画像を確認できるようになる。そのため、出力画像２２０から一部の領域を切り出し、切り出した画像を横方向に２倍に拡大（伸張）したデスクイーズ画像を生成して表示部１０７に表示する処理を、デスクイーズ画像の拡大表示の第２の方法として以下に説明する。
【００３０】
デスクイーズ画像の拡大表示の第２の方法では、出力画像２２０から一部の領域の画像を切り出し、切り出した領域を横方向にのみ２倍に拡大して表示部１０７に表示する。その際、出力画像２２０に対して設定される切り出し領域の形状は、縦方向長さが図２（ａ）に示す切り出し領域２００の縦方向長さと同じで、横方向長さが図２（ａ）に示す切り出し領域２００の横方向長さの１／２の長さとすることが望ましい。これによって、デスクイーズ画像の拡大表示の第１の方法を行った場合と同じ表示状態を得ることができる。また、出力画像の切り出し表示とデスクイーズ画像の拡大表示とを切り替えたときの表示部１０７での画像の変化は、横方向のみで生じ、縦方向では生じないようにすることができる。但し、切り出し領域の形状は、撮影者が拡大表示したい領域に応じて所望の形状に設定することができ、必ずしも前述の通りにしなければならないものではない。
【００３１】
デスクイーズ画像の拡大表示での出力画像２２０に対する切り出し領域の位置の設定と移動は、出力画像の切り出し表示での出力画像２２０に対する切り出し領域２００の位置の設定及び移動と同様に行われるため、ここでの説明は省略する。操作部１０５の１回の所定の操作による出力画像２２０に対する切り出し領域の縦方向での移動量は、出力画像２２０の切り出し表示と同様に、第１の移動量に設定する。一方、操作部１０５の１回の所定の操作による出力画像２２０に対する切り出し領域の横方向での移動量は、第１の移動量を横方向の拡大率である２倍で除した移動量（以下「第２の移動量」という）に設定される。これにより、出力画像２２０に対して切り出し領域を移動させながら、切り出された画像をデスクイーズして表示部１０７に表示したときの画像の移動量が縦方向と横方向とで同じとなるため、移動操作の操作性を高めることができる。
【００３２】
なお、上述したデスクイーズ画像の拡大表示の第１の方法及び第２の方法のいずれの方法を用いた場合であっても、ＣＰＵ１０１は、デスクイーズした画像を記憶媒体１１２に記憶しない。ＣＰＵ１０１は、デスクイーズ前の出力画像２２０であって画像の切り出しが行われていない画像信号を符号・復号処理部１１６へ送る。符号・復号処理部１１６は、取得した画像信号を圧縮・符号化して記憶媒体１１２に記憶する。
【００３３】
図３は、出力画像２２０から切り出した一部の領域をデスクイーズすることによりデスクイーズ表示を実現する処理（デスクイーズ画像の拡大表示の第２の方法）のフローチャートである。図３のフローチャートの各処理は、ＣＰＵ１０１がＲＯＭ１０２に格納された所定のプログラムをＲＡＭ１０３に展開して、撮像装置１００の各部の動作を制御することにより実現される。デスクイーズ画像の拡大表示は、出力画像の切り出し表示とデスクイーズの２つの処理をオンにする撮像者による操作部１０５の操作によって開始される。なお、撮像装置１００に、アナモフィックレンズの着脱を自動検出する機能が設けられている場合、アナモフィックレンズが装着されると、デスクイーズ画像の拡大表示が自動的に開始される構成となっていてもよい。
【００３４】
ステップＳ３０１においてＣＰＵ１０１は、撮影者による操作部１０５を通じた入力又は交換レンズとの通信等により取得したアナモフィックレンズの光学特性に基づき、デスクイーズの方向と拡大率（＝横方向に２倍）を取得する。ステップＳ３０２においてＣＰＵ１０１は、予め定められた第１の移動量を拡大率（＝２倍）で除算することによって第２の移動量を算出し、出力画像２２０に対する切り出し領域の横方向での移動量を第２の移動量に設定する。なお、ステップＳ３０２において、出力画像２２０に対する切り出し領域の縦方向での移動量は第１の移動量のまま維持される。
【００３５】
ステップＳ３０３においてＣＰＵ１０１は、出力画像２２０に対して設定された切り出し領域から画像を切り出し、切り出した画像を横方向へ２倍に拡大した画像を表示部１０７に表示する。ステップＳ３０３のデスクイーズ画像の拡大表示の終了により本処理は終了となる。なお、図３には不図示であるが、デスクイーズ画像の拡大表示が実行されているときにデスクイーズのみを終了するように操作部１０５が操作されると、ＣＰＵ１０１は、図２（ａ）を参照して説明した出力画像の切り出し表示を実行する。その際に、ＣＰＵ１０１は、出力画像２２０に対する切り出し領域２００の横方向での移動量を第２の移動量から第１の移動量に変更する。デスクイーズ画像の拡大表示の終了は、アナモフィックレンズが取り外されたことを自動検出することによって判断するようにしてもよい。
【００３６】
図４は、出力画像２２０に対する切り出し領域の移動処理を説明するフローチャートである。図４のフローチャートの各処理は、ＣＰＵ１０１がＲＯＭ１０２に格納された所定のプログラムをＲＡＭ１０３に展開して、撮像装置１００の各部の動作を制御することにより実現される。ステップＳ４０１の開始前に、図２を参照して説明したように、出力画像２２０の切り出し表示が行われているものとする。よって、操作部１０５の１回の所定の操作による出力画像２２０に対する切り出し領域の移動量には、縦方向及び横方向のそれぞれに第１の移動量が設定されている。
【００３７】
ステップＳ４０１においてＣＰＵ１０１は、デスクイーズの開始（デスクイーズ画像の拡大表示の開始）が指示された否かを判定する。デスクイーズの開始は、例えば、デスクイーズをオンにする撮影者による操作部１０５の操作によって開始される。ＣＰＵ１０１は、デスクイーズの開始指示があったと判定した場合（Ｓ４０１でＹＥＳ）、処理をステップＳ４０２へ進め、デスクイーズの開始指示はないと判定した場合（Ｓ４０１でＮＯ）、処理をステップＳ４０３へ進める。ステップＳ４０２においてＣＰＵ１０１は、切り出し領域の移動が横方向か否かを判定する。ＣＰＵ１０１は、横方向への移動ではない（縦方向への移動である）と判定した場合（Ｓ４０２でＮＯ）、処理をステップＳ４０３へ進め、横方向への移動であると判定した場合（Ｓ４０２でＹＥＳ）、処理をステップＳ４０４へ進める。
【００３８】
ステップＳ４０３においてＣＰＵ１０１は、切り出し領域の移動量として第１の移動量を取得する。そして、ステップＳ４０４においてＣＰＵ１０１は、切り出し領域の移動量として、ステップＳ３０２で算出した第２の移動量を取得する。ステップＳ４０３，Ｓ４０４での移動量取得後のステップＳ４０５においてＣＰＵ１０１は、ステップＳ４０５に至るルートを考慮して、ステップＳ４０３又はステップＳ４０４で取得した移動量で切り出し領域を所定の方向に移動させる。これにより、撮像素子１１４から入力された信号の切り出し位置が変更され、その結果、表示部１０７に表示される画像が動く。
【００３９】
図４のフローチャートには不図示であるが、ＣＰＵ１０１は、出力画像の切り出し表示の終了が指示されたか否かを常に判定している。ＣＰＵ１０１は、出力画像の切り出し表示の終了が指示されていないと判定した場合には、ステップＳ４０５からステップＳ４０１に処理を戻して、ステップＳ４０１〜Ｓ４０５の処理を継続的に行う。一方、ＣＰＵ１０１は、出力画像の切り出し表示の終了が指示されたと判定すると、本処理を終了させる。なお、図４のフローチャートの処理において、切り出し領域を移動させるための操作部１０５の操作が連続的に又は継続的に行われた場合には、切り出し領域の移動は連続的に行われる。これにより、切り出し領域の長距離移動を簡単に行うことができる。
【００４０】
なお、上述の説明では、切り出し領域の出力画像又はデスクイーズ画像が表示されるものとして説明した。しかし、切り出し領域の出力画像を表示装置の解像度に合わせて変倍して表示するようにしてもよい。この場合、デスクイーズがオンではない場合は、出力画像を縦横同じ倍率で拡大又は縮小して表示する。デスクイーズがオンの場合は、デスクイーズ画像に対して、縦横同じ倍率で拡大又は縮小して表示してもよいし、出力画像に対して縦と横とで異なる倍率で拡大又は縮小することにより同等の画像を得るようにしてもよい。つまり、デスクイーズ画像を得るための縦横それぞれの倍率と、縦横にそれぞれ同じ倍率とを乗じることにより求められる倍率で出力画像を拡大又は縮小することにより、一度の拡大又は縮小処理で、拡大又は縮小した表示用のデスクイーズ画像を得ることができる。
【００４１】
＜第２実施形態＞
出力画像の切り出し表示とデスクイーズ画像の拡大表示の第２実施形態について説明する。図５（ａ）は、第２実施形態での出力画像の切り出し表示を説明する図であり、出力画像５２０と切り出し領域５００との関係を模式的に示している。出力画像５２０内の楕円は、主被写体５１０を模式的に示している。ここでは、切り出し領域５００の横方向長さと縦方向長さはそれぞれ、出力画像５２０の横方向長さと縦方向長さの１／４に設定されている。
【００４２】
出力画像５２０は、図２に示した出力画像２２０に対応している。出力画像５２０に対する切り出し領域５００の設定及び移動は、第１実施形態で説明した出力画像２２０に対する切り出し領域２００の設定及び移動と同様に行うことができるため、ここでの説明を省略する。なお、操作部１０５の１回の所定の操作による出力画像５２０に対する切り出し領域５００の縦横方向でのそれぞれの移動量は、第１実施形態と同様に、第１の移動量に設定されるものとする。また、切り出し領域５００の表示部１０７への表示も、第１実施形態と同様に行われるため、ここでの説明を省略する。
【００４３】
図５（ｂ）は、出力画像５２０全体を縦方向に１／２倍に縮小（圧縮）したデスクイーズ画像５３０と、デスクイーズ画像５３０に対して設定される切り出し領域５００との関係を模式的に示す図である。なお、デスクイーズ画像５３０内の円は、主被写体５１０を模式的に示している。前掲の図２では出力画像２２０全体を横方向に２倍に拡大することによりデスクイーズを行ったのに対して、図５では出力画像５２０全体を縦方向に１／２倍に縮小することによりデスクイーズを行う。
【００４４】
デスクイーズ画像５３０の拡大表示の第１の方法は、出力画像５２０全体を縦方向に１／２倍に縮小したデスクイーズ画像５３０を生成し、生成したデスクイーズ画像５３０から切り出し領域５００で画像を切り出して表示部１０７に表示する方法である。デスクイーズ画像５３０の拡大表示の第２の方法は、出力画像５２０から一部の領域を切り出し、切り出した領域を縦方向にのみ１／２倍に縮小して表示部１０７に表示する方法である。これらの方法は、図２を参照して説明したデスクイーズ画像の拡大表示の方法と同じであるため、詳細な説明は省略する。
【００４５】
なお、第２の方法を用いる場合、出力画像５２０に対して設定する切り出し領域の形状は、縦方向長さが図５（ａ）に示す切り出し領域５００の縦方向長さの２倍で、横方向長さが図５（ａ）に示す切り出し領域５００の横方向長さと同じであることが望ましい。これにより、切り出された画像をデスクイーズしたときに、図５（ｂ）に示した切り出し領域５００と同じ大きさとなる。また、第２の方法を用いる場合において、操作部１０５の１回の所定の操作による出力画像５２０に対する切り出し領域の横方向での移動量は、出力画像５２０の切り出し表示と同様に、第１の移動量とすることができる。一方、操作部１０５の１回の所定の操作による出力画像５２０に対する切り出し領域の縦方向での移動量は、アナモフィックレンズによる横方向の圧縮率である１／２倍で除した第１の移動量を（２倍に乗じた）第２の移動量に設定される。これにより、出力画像５２０に対して切り出し領域を移動させながら、切り出された画像をデスクイーズして表示部１０７に表示したときの画像の移動量が縦横方向での移動量と同じとなるため、移動操作の操作性を高めることができる。
【００４６】
図６は、出力画像５２０から切り出した一部の領域をデスクイーズすることによりデスクイーズ画像の拡大表示を実現する処理のフローチャートである。図６のフローチャートの各処理は、ＣＰＵ１０１がＲＯＭ１０２に格納された所定のプログラムをＲＡＭ１０３に展開して、撮像装置１００の各部の動作を制御することにより実現される。デスクイーズ画像の拡大表示の開始及び終了は、図３のフローチャートについて説明したデスクイーズ画像の拡大表示の開始及び終了と同様に行うことができるため、ここでの詳細な説明は省略する。
【００４７】
ステップＳ６０１においてＣＰＵ１０１は、撮影者による操作部１０５を通じた入力により又は交換レンズとの通信により取得したアナモフィックレンズの光学特性に基づき、デスクイーズの方向と縮小率（＝縦方向に１／２倍）を取得する。ステップＳ６０２においてＣＰＵ１０１は、予め定められた第１の移動量を縮小率（＝１／２倍）で除算する（第１の移動量を２倍にする）ことによって第２の移動量を算出し、出力画像５２０に対する切り出し領域の縦方向での移動量を第２の移動量に設定する。なお、ステップＳ６０２において、出力画像２２０に対する切り出し領域の横方向での移動量は第１の移動量に設定される。ステップＳ６０３においてＣＰＵ１０１は、出力画像５２０に対して設定された切り出し領域から画像を切り出し、切り出した画像を縦方向へ１／２倍に拡大（＝半分に縮小）した画像を表示部１０７に表示する。ステップＳ６０３の処理の終了により本処理は終了となる。
【００４８】
図７は、出力画像５２０に対する切り出し領域の移動処理のフローチャートである。図７のフローチャートの各処理は、ＣＰＵ１０１がＲＯＭ１０２に格納された所定のプログラムをＲＡＭ１０３に展開して、撮像装置１００の各部の動作を制御することにより実現される。ステップＳ７０１の開始前に、図５（ａ）を参照して説明したように、出力画像５２０の切り出し表示が行われているものとする。ステップＳ７０１，Ｓ７０３，Ｓ７０４，Ｓ７０５の処理の内容はそれぞれ、図４のフローチャートのステップＳ４０１，Ｓ４０３，Ｓ４０４，Ｓ４０５の処理の内容と同じであるため、説明を省略する。
【００４９】
デスクイーズの開始指示があったと判定された場合（Ｓ７０１でＹＥＳ）の次の処理であるステップＳ７０２においてＣＰＵ１０１は、切り出し領域の移動が縦方向か否かを判定する。ＣＰＵ１０１は、縦方向への移動ではない（横方向への移動である）と判定した場合（Ｓ７０２でＮＯ）、処理をステップＳ７０３へ進め、縦方向への移動であると判定した場合（Ｓ７０２でＹＥＳ）、処理をステップＳ７０４へ進める。これにより、デスクイーズ画像の拡大表示中に出力画像５２０に対する切り出し領域を移動させたときに、表示部１０７に表示される画像の移動量は縦方向と横方向とで同じになるため、移動操作の操作性を高めることができる。
【００５０】
以上、図２乃至図７を参照して説明したように上記実施形態では、一方向に圧縮された出力画像から一部の領域を切り出し、切り出した画像を所定の倍率でデスクイーズした画像を表示部１０７に表示する。そして、表示部１０７に表示される画像を移動させるために出力画像に対する切り出し領域の位置を移動させたときに、画像の横方向での移動量と縦方向の移動量が同じになるように、切り出し領域の移動量を出力画像での圧縮率とその方向に基づいて設定する。これにより、表示部１０７に表示される画像を移動させる操作の操作性を向上させることができ、また、画像の移動に違和感が生じるのを防止することができる。
【００５１】
なお、上記実施形態は、撮像光学系１１３が横方向に画像を１／２に圧縮するアナモフィックレンズを有する場合について説明したが、アナモフィックレンズの画像圧縮率は１／２倍に限定されるものではない。よって、例えば、横方向に画像をｍ／ｎ（ｍ，ｎは自然数）に圧縮するアナモフィックレンズが用いられた場合、出力画像の全体又は一部を横方向にデスクイーズする際の拡大率は、その逆数のｎ／ｍ倍とすればよい。また、出力画像の全体又は一部を縦方向にデスクイーズする際には、同じ圧縮率のｍ／ｎ倍で縮小すればよい。
【００５２】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。例えば、本発明に係る表示制御装置は、撮像部（撮像光学系１１３及び撮像素子１１４）を一体的に備えている必要はない。つまり、撮像部と表示制御装置とが別の場所にあって、撮像部で取得した映像が所定の通信回線を通じて本体部へ送られる構成となっていてもよい。
【００５３】
また、上記実施形態では、一方向に圧縮された出力画像に対する切り出し領域の移動量を、デスクイーズする拡大方向又は縮小方向で調整し、これと直交する方向では変更しない構成とした。これにより、出力画像に対する切り出し表示とデスクイーズ画像の縮小処理とを切り替えたときに、操作部１０５の１回の操作により表示部１０７上での画像の移動量が変わらないようにすることができる。これに対して、例えば、図２の例で出力画像２２０から切り出した領域の画像を横方向にデスクイーズする場合に、出力画像２２０に対する切り出し領域の移動量を、横方向では第１の移動量で不変とし、縦方向では第１の移動量を２倍にした移動量としてもよい。同様に、図５の例で出力画像５２０から切り出した領域の画像を縦方向にデスクイーズする場合に、出力画像５２０に対する切り出し領域の移動量を、縦方向では第１の移動量で不変とし、縦方向では第１の移動量を１／２倍にした移動量としてもよい。これにより、デスクイーズ画像の拡大処理が継続して行われている間は、出力画像に対して切り出し領域を移動させたことによって表示部１０７に表示される画像が変化する際の画像の移動量は縦横方向で同じとなる。これらの方法では、出力画像の切り出し表示とデスクイーズ画像の拡大表示との切り替えの前後で、操作部１０５の１回の操作による表示部１０７上での画像の移動量が変化するが、１回の操作でより大きく又はより小さく移動させたい用途には適している。
【００５４】
本発明は、上述した実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５５】
１００    撮像装置
１０５    操作部
１０７    表示部
１１３    撮像光学系
１１４    撮像素子
２００，５００    切り出し領域
２２０，５２０    出力画像
２３０，５３０    デスクイーズ画像
【図１】
2018194645.tif 000003
【図２】
2018194645.tif 000004
【図３】
2018194645.tif 000005
【図４】
2018194645.tif 000006
【図５】
2018194645.tif 000007
【図６】
2018194645.tif 000008
【図７】
2018194645.tif 000009